(57)【要約】      （修正有）【課題】パウダーが浮遊して動く時、これとともに展示物も全体もしくは一部が動いてよりその展示効果の向上を図ろうとし、必要に応じて作用が持続的に働くスノードームを提供する。【解決手段】本スノードーム１はドーム部２内に設ける展示物９の最下部をドームの底面に固定しその上部は全体もしくは一部が液体の流れにより揺れるように動く部材で構成する。揺動部１０は主に流れの圧力を受けて動く機能とその位置を復元しようとする機能を有し、全体を樹脂等の可撓性材料で、もしくは弾性のあるバネや可撓性材料のあるテグス等線材と非可撓性材料の部材を接合したりして構成する。該液体の流れの駆動は従来通り手によりいったん逆さまにしたり降ったり必要に応じて内部にプロペラ等とその駆動装置６を内部又は外部に適宜設けて行う。【選択図】図１
0003167473.tif 000002
【実用新案登録請求の範囲】
【請求項１】
水や油等の透明液体とこれに浮遊可能な浮遊物を内包する透明な材用よりなるドーム部内に設けた展示物の全体もしくはその部分が該透明液体の動きにより復元力を有しながら動くように構成されるスノードーム。
【請求項２】
請求項１で述べたスノードームにおいて該ドーム部内に該透明液体駆動装置を設け強制的に該透明液体を駆動するようにしたスノードーム。
【請求項３】
請求項２で述べたスノードームにおいて該透明液体駆動装置に駆動速度を制御をする装置を付加したスノードーム。
【考案の詳細な説明】
【技術分野】
【０００１】本考案は玩具や置物として用いられるスノードームに関する。スノードームはスノーグローブとも呼ばれ、主に球形状もしくは最頂部が半球形でその下が円筒形状のガラスやアクリル樹脂等透明体で形成されその内部中央に人形やフィギュア等展示物を置きその周囲を水や油等の透明液体（以下液体と言う）ならびにこれに浮遊可能な粉体や箔（以下パウダーと言う）を封入した上部のドーム部と、それを支えて定置させるための下部の基底部より構成される。これを使用者が手で上下逆さまにしたり振ったりすることにより内部のパウダーが撹拌されスノードームをもとの位置に戻すとパウダーが循環し、沈降するがその際の展示効果を愉しむものである。例えばクリスマスの飾りとしてサンタクロースの周辺に白い粉雪状のパウダーがゆっくりと降ったり吹雪のように舞ったりするよう工夫したスノードームは季節の催しの飾り物や玩具としてよく用いられている。
【背景技術】
【０００２】前述の通り、構造が簡単で使い方も簡易なため古くから用いられている。内部に封入される展示物と水や油等の透明液体とパウダーの色、形状あるいは比重により各種の展示効果が得られようその組み合わせやデザインに多くの工夫や応用がなされている。
【考案の開示】
【考案が解決しようとする課題】
【０００３】従来のスノードームはその展示物が固定されておりその周辺をパウダーが浮遊、飛散するだけであった。本考案はこれらを抜本的に解決して、パウダーが浮遊して動く時、これとともに展示物も全体もしくは一部が動いてよりその展示効果の向上を図ろうとし併せてそれが持続的に続くようにする。
【課題を解決するための手段】
【０００４】本考案のスノードームはドーム部内に設ける展示物の最下部をドームの底面に固定しその上部は全体もしくは一部が液体の流れにより揺れるように動く部分（以下揺動部と言う）で構成することを骨子とする。該揺動部は主に流れの圧力を受けて動く機能とその位置を復元しようとする機能を有し、全体を樹脂等の可撓性材料で、もしくは弾性のあるバネや可撓性のあるワイヤーやテグス等線材と非可撓性材料の部材を接合したりして構成する。該液体の流れの駆動は従来通り手でいったん逆さまにしたり降ったりするか、内部にプロペラ等とその駆動装置を内部又は外部に適宜設け駆動して行う。
【考案の効果】
【０００５】本考案によるスノードームはパウダーを撹拌して循環させるとともに、内部の展示物も揺動することができるようになるため、従来のものに比して格段に展示効果が向上する。例えばパウダーを白い粉体にして降りしきる雪のようにし展示物をサンタクロースにしてこれが踊るように揺らせたり、パウダーを黄金色の小判のようにして展示物を招き猫としその腕を招き動作のように揺らせたりでき、季節の行事や縁起関連の催事等での置物、玩具あるいは地域の景勝にあわせたみやげ品として最適な展示効果が得られる。
【考案を実施するための最良の形態】
【０００６】スノードームをドーム部と基底部に仕切り板部で分割し、ドーム部の内部ほぼ中央に展示物を固定し水や油等透明な液体とこれに浮遊し得るパウダーおよびこれ等を撹拌するための駆動体を併せて封入し基底部には被駆動体を駆動するための駆動装置を収納する。展示物は既述のように全体もしくは一部が該液体の流れにより揺動するような可動部を有して構成される。
【実施例】
【０００７】以下、本考案を図１の応用実施例について説明する。図１は本考案によるスノードームの概略断面図を示す。図１における本考案の実施例でスノードーム（１）本体は主にドーム部（２）と基底部（３）を一体的に接続して構成され、ドーム部（２）は同本体上部に球形もしくは頭頂部が半球でその下が円筒形の胴体部からなるいわゆるドーム形でガラスやアクリル等透明な材料で形成され、基底部（３）は同本体下部に円筒形もしくは適当な形状の中空筐体として樹脂、石膏や木材等で形成される。両者は仕切り板（４）で区切られこれはゴム、樹脂またはガラス等の材料で構成される。ドーム部（２）内部には展示物（９）が台座（５）に固定され、あわせて水や油等透明液体（図示せず）ならびにこれに浮遊し循環し得るパウダー（１１）および駆動体（７）も封入される。必要に応じ台座（５）の下部は中空円形状としその内部に回転できるプロペラ等翼形状の液体駆動用駆動体（７）を設け基底部（３）内部にはその駆動力源としてモーター等駆動装置（６）を収納し電池等電源（図示せず）からの電力供給により生じる駆動力で駆動力伝達装置（８）を通して駆動する。該駆動力伝達装置（８）が軸を有し同図のように仕切り板（４）を貫通するばあいその貫通部には該液体の漏洩を防ぐシール装置（図示せず）を設ける。ただし該駆動力伝達装置（８）に軸を用いず仕切り板（４）を介して磁力で駆動体（７）を駆動装置（６）に取り付けた駆動用の回転磁石等磁性体（図示せず）で駆動することも可能でこの際は前述の軸は不要でしたがってシール装置も不要となる。【０００８】図１にあるようにスノードームが使用者の手により逆さまにされたりあるいは駆動体（７）に駆動されたりすると内部の液体が矢印で示すように動かされパウダー（１１）もともにドーム内を拡散、循環する。このとき展示物（９）は液体の流れによりその揺動部（１０）が圧力を受け全体的にもしくは部分的に復元力を有しながら揺れ動くように全体を樹脂等の可撓性材料としたり、もしくは必要な部分のみ適当な結節点を弾性のあるバネや可撓性材料のあるワイヤーやテグス等線材（図示せず）とし非可撓性材料の部材と接合したりしたて構成する。例えばサンタクロースやフラダンスのダンサーのような人体状の展示物において全身が揺れ動いてダンスを踊っている様子や、招き猫のようなしゃがんだ姿勢の猫の展示物において腕のみを上下させて招く状態等各種の動きを表現できる。なお、パウダー（１１）は通常樹脂、アルミ箔等を細かく刻んだり成形して生成し液体中でよく浮遊するとともに適当な速度で沈降し、雪、櫻やモミジあるいは小判や星などが舞ったり降ったり散ったりする雰囲気や効果が出るようその色、比重や形状が予め工夫される。また、該液体の駆動は一定速度、方向だけに行われるだけでなくリズムをもったりランダムな変化を持たせたりすると揺動の演出効果が向上することがあり、必要に応じて該駆動力伝達装置（８）にギア、プーリ等機械的な速度変換機構や駆動装置（６）が電動モーターであれば電気入力を制御する装置（図示せず）等駆動速度制御装置を付加する。
【産業上の利用可能性】
【０００９】クリスマスやモミジ狩りなど歳時的もよおしでの展示物、縁起物、景勝地のみやげものあるいは一般的な置物、文鎮や玩具等の雑貨としてパウダーとともに展示物が揺れ動く展示効果を活用することにより、今までにない全く新しい分野商品の開拓が可能となる。
【図面の簡単な説明】
【００１０】
【図１】本考案に係る構造の概略断面図
【符号の説明】
【００１１】（１）スノードーム  （２）ドーム部  （３）基底部  （４）仕切り板
（５）台座          （６）駆動装置  （７）駆動体  （８）駆動力伝達装置
（９）展示物      （１０）揺動部  （１１）パウダー
【図１】
0003167473.tif 000003
【手続補正書】
【提出日】平成23年1月29日(2011.1.29)
【手続補正１】
【補正対象書類名】実用新案登録請求の範囲
【補正対象項目名】請求項１
【補正方法】変更
【補正の内容】
【請求項１】
水や油等の透明液体とこれに浮遊可能な浮遊物を内包する透明な材用よりなるドーム部内に展示物の最下部を該ドームの底面に固定し該展示物の上部をその全体もしくは一部を該透明液体の流れにより揺れ動きその位置を復元しようとする可撓性や弾性機能を有する樹脂あるいはバネ、ワイヤーやテグス等の材料を用いて構成し該展示物全体もしくはその部分が該透明液体の動きにより復元力を有しながら揺れ動くように構成されるスノードーム。